(57)【特許請求の範囲】
【請求項１】
防水シートの外周縁部が建造物の躯体に気密状態に接合されて、前記防水シートと前記躯体との間が密閉されるようにした密閉式シート防水構造において、
前記躯体と前記防水シートとの間における前記躯体上に、空気の透過を遮断するための空気遮断層が設けられ、
前記空気遮断層が、前記躯体上に面状に並んで配置される複数の断熱パネルからなる第１断熱層と、その第１断熱層上に面状に並んで配置される複数の断熱パネルからなる第２断熱層とを具備し、
前記第１断熱層における隣合う断熱パネル間の目地部が、前記第２断熱層における隣合う断熱パネル間の目地部に対し、位置ずれした状態に配置されるとともに、
前記第１断熱層の目地部と、前記第２断熱層の目地部とが交差する部分だけに、気密性を有する接着剤が充填されてなることを特徴とする密閉式シート防水構造。
【発明の詳細な説明】
【０００１】
【発明の属する技術分野】
この発明は、ビル屋上の陸屋根や、ベランダ、バルコニー等の躯体表面に防水シートを密閉状態に施工するようにした密閉式シート防水構造に関する。
【０００２】
【従来の技術】
ビル屋上の陸屋根等において、ポリ塩化ビニル樹脂、ポリオレフィン系樹脂、合成ゴム製等の防水シートを用いて防水施工する場合、防水シートの全面を躯体に接着する全面密着工法や、防水シートをその所要部分のみを躯体に固定する絶縁工法、防水シートを躯体との間に密閉空間を形成するように施工する密閉工法等が周知である。
【０００３】
このうち、密閉工法は、図９及び図１０に示すように、防水シート（５）の外周縁部のみをシート接合板（６）を介して陸屋根の躯体（１）に気密状態に接合して、防水シート（５）の中央領域と躯体（１）との間に密閉部を形成するものである。
【０００４】
このような密閉式シート防水構造においては、防水シート（５）の外周縁部が躯体（１）に気密状態に接合されているため、陸屋根上に風が吹き込んで防水シート（５）に揚力が発生しようとも、防水シート裏面側の密閉部が上記揚力に抗して負圧となり、防水シート（５）が膨れ上がるのを防止することができる。従って、防水シート（５）に皺や有害な変形が発生するのを防止でき、良好な美観を維持できるとともに、変形等によるシート劣化も防止できて、十分な耐久性も得ることができる。
【０００５】
【発明が解決しようとする課題】
しかしながら、陸屋根等の躯体（１）は、例えば鉄筋コンクリート（ＲＣ）製のものが一般的であるが、ＲＣ製躯体（１）の場合、経年劣化により躯体（１）に亀裂が発生してその亀裂を介して躯体（１）側から防水シート（５）の裏面側に空気が侵入して、密閉部の気密性が損なわれてしまい、風が吹き込んだ際の揚力により、防水シート（５）が膨れ上がって皺や有害な変形が生じる恐れがあるという問題があった。
【０００６】
一方、陸屋根躯体（１）においては、上記のＲＣ製のもの以外に、軽量発泡コンクリート（ＡＬＣ）製のものや、複数枚の金属板が面状に併設された金属製のもの等も採用されているが、ＡＬＣ躯体（１）の場合には、ＡＬＣ板自体に通気性を有するものであるため、躯体内部を通過して防水シート裏面側の密閉部に空気が侵入することがあり、また金属製躯体（１）の場合には、隣合う金属板間の隙間を通過して防水シート裏面側の密閉部に空気が侵入することがあるので、上記と同様に気密性が破壊されて、上記と同様な問題が発生する。
【０００７】
この発明は、上記従来技術の問題を解消し、躯体自身に亀裂等の通気部が形成されようとも、防水シート裏面側の密閉部における気密性を十分に確保でき、例えば風の揚力に対しても防水シートが膨れ上がって変形するのを防止できて、良好な美観を長期維持できるとともに、十分な耐久性を得ることができる密閉式シート防水構造を提供することを目的とする。
【０００８】
【課題を解決するための手段】
上記目的を達成するため、この発明は、防水シートの外周縁部が建造物の躯体に気密状態に接合されて、前記防水シートと前記躯体との間が密閉されるようにした密閉式シート防水構造において、前記躯体と前記防水シートとの間における前記躯体上に、空気の透過を遮断するための空気遮断層が設けられてなるものを要旨としている。
【０００９】
この発明の密閉式シート防水構造においては、亀裂等により躯体自身に通気部が形成されたとしても、上記空気遮断層により、空気の透過を遮断できるため、空気が躯体内部から防水シート裏面側に侵入するのを防止できて、防水シート裏面側における密閉部の気密性を十分に確保することができる。このため防水シート表面に風が吹き込んで防水シートに揚力が発生したとしても、防水シート裏面側の密閉部が上記揚力に抗して負圧となり、防水シートが躯体に確実に吸着した状態に保持される。
【００１０】
また本発明は、躯体と防水シートとの間に空気遮断層を設けるという簡素な構造であり、簡単に形成することができる。
【００１１】
一方、本発明においては、前記空気遮断層を、軟質合成樹脂又は合成ゴムからなる空気遮断シートにより構成する場合、空気遮断シートを敷設するだけで簡単に空気遮断層を形成することができる。
【００１２】
更に本発明においては、前記空気遮断シートを、前記防水シートと同じ材質により構成する場合、両シートの所要部分を接着ないしは接合一体化する際に、その接着強度を十分に確保することができる。
【００１３】
また本発明において、前記空気遮断層が、前記躯体上に面状に並んで配置される複数の断熱パネルからなる断熱層を具備し、隣合う断熱パネル間の目地部に、気密性を有するシーリング材が配設されてなる構成、又は前記空気遮断層が、前記躯体上に面状に並んで配置される複数の断熱パネルからなる第１断熱層と、その第１断熱層上に面状に並んで配置される複数の断熱パネルからなる第２断熱層とを具備し、前記第１断熱層における隣合う断熱パネル間の目地部が、前記第２断熱層における隣合う断熱パネル間の目地部に対し、位置ずれした状態に配置されるとともに、前記第１断熱層の目地部と、前記第２断熱層の目地部とが交差する部分に、気密性を有するシーリング材が配設されてなる構成を採用するのが好ましい。
【００１４】
すなわち、この構成を採用する場合、外断熱工法に用いられる断熱パネルを利用して空気遮断層を形成することができるので、空気遮断層を新たに一から設ける必要がなく、その分、施工作業をより一層簡単に行うことができる。
【００１５】
【発明の実施の形態】
＜第１の実施形態＞
図１はこの発明の第１の実施形態である密閉式シート防水構造が適用されたビル屋上の陸屋根を示す概略断面図、図２は実施形態の陸屋根の中間部を拡大して示す断面図、図３は実施形態の陸屋根の端部を拡大して示す断面図である。これらの図に示すように、この実施形態において、陸屋根の躯体（１）は、鉄筋コンクリート（ＲＣ）からなり、平場（１ａ）と、その平場（１ａ）の外周縁に立上り状に設けられたパラペット（１ｂ）とを有している。
【００１６】
この躯体（１）の平場（１ａ）上には、空気遮断層としての空気遮断シート（１０）が配置される。この空気遮断シート（１０）の所要部分には、開脚釘、タッピングねじ、コンクリート釘等の固着具（１１）が貫通されて躯体（１）に固定され、これにより空気遮断シート（１０）が躯体（１）の平場（１ａ）全域を覆うように固定される。
【００１７】
躯体（１）の平場（１ａ）における外周縁部に設けられる長尺なシート接合板（６）は、水平フランジ（６ａ）と垂直フランジ（６ｂ）とを有する断面Ｌ型の形状に形成されている。このシート接合板（６）の垂直フランジ（６ｂ）をパラペット（１ｂ）の下部内面に沿わせるようにして、水平フランジ（６ａ）が長尺なシール部材（７）を介して、平場（１ａ）上における遮断シート（１０）の外周縁部に沿って配置される。そしてその状態で、水平フランジ（６ａ）及び垂直フランジ（６ｂ）が、開脚釘、タッピングねじ、コンクリート釘等の固着具（１２）により躯体（１）に固定される。
【００１８】
また、空気遮断シート（１０）の表面全域から、パラペット（１ｂ）の内面及び上端面にかけて防水シート（５）が配置される。この防水シート（５）における平場（１ａ）の外周縁部がシート接合板（６）の表面に、溶剤溶着、熱風融着、接着剤により気密状態に接着ないしは接合一体化される。更に必要に応じて、防水シート（５）と遮断シート（１０）とが、所定位置において部分的に、接着ないしは接合一体化される。
【００１９】
これにより、防水シート（５）が、その裏面側に密閉部が形成されるようにして、空気遮断シート（１０）を介して躯体（１）の平場（１ａ）に張設される。
【００２０】
以上のように、本実施形態の密閉式シート防水構造によれば、躯体（１）と防水シート（５）との間における躯体上に、空気遮断シート（１０）が配置されているため、たとえ躯体（１）に亀裂が発生したとしても、遮断シート（１０）により空気の透過を遮断できるため、亀裂を介して躯体内部から表面に空気が漏出するのを防止できるので、空気が躯体内部から防水シート（５）と遮断シート（５０）との間の密閉部に侵入するのを防止でき、その密閉部の気密性を十分に確保することができる。このため、陸屋根上に風が吹き込んで防水シート（５）に揚力が発生したとしても、防水シート（５）は、その裏面側の密閉部が、上記揚力に抗して負圧となり躯体（１）に吸着保持されるので、防水シート（５）が膨れ上がるのを防止することができる。従って防水シート（５）に皺や有害な変形が発生するのを確実に防止できて、良好な美観を維持できるとともに、変形等によるシート劣化も防止できて、十分な耐久性を得ることができる。
【００２１】
また本実施形態は、防水シート（５）を遮断シート（１０）を介して敷設するだけで簡単に施工することができる。
【００２２】
ここで、本実施形態においては、躯体（１）がＲＣにより構成されているが、本発明は、ＲＣ以外に、ＡＬＣや金属からなる躯体にも、上記と同様に適用することができる。
【００２３】
防水シート（５）及び空気遮断シート（１０）としては、軟質ポリ塩化ビニル樹脂、ポリエチレン樹脂、ポリプロピレン樹脂等の熱可塑性樹脂からなるものの他、非加硫ゴム系シート、ゴムアスファルト系シート等の合成ゴムからなるものを好適に使用することができる。中でも、軟質ポリ塩化ビニル樹脂からなるものは、優れた接着性が得られる点で、より好適であり、またポリエチレン樹脂やポリプロピレン樹脂等のポリオレフィン系樹脂からなるものは、燃焼時における有害ガスの発生を防止できるので、廃棄処理の点で、より好適である。
【００２４】
更に両シート（５）（１０）は、互いに同じ種類の材質により構成するのが好ましい。すなわちこの場合、両シート（５）（１０）を部分的に接合する際に、互いに優れた接着性を得ることができる。
【００２５】
また、両シート（５）（１０）は、１枚もので構成しても、複数枚のシート（５）（１０）を、その端部同士を相互に気密状に接合したものにより構成しても良い。
【００２６】
防水シート（５）としては、厚さが１．０〜２．５ｍｍのものを使用するのが一般的である。
【００２７】
また、空気遮断シート（１０）としては、厚さが１．０〜２．０ｍｍのものを好適に使用することができる。すなわち薄過ぎる場合には、破損し易くなり、気密性が損なわれる恐れがあり、逆に過度に厚過ぎるシート（１０）を用いても、それに見合うだけの効果が得られないばかりか、シート自体の重量が重くなって、取扱が面倒になり、施工作業性の低下等を来す恐れがある。
【００２８】
更に空気遮断シート（１０）の固着具（１１）による取付ピッチは、３００〜１０００ｍｍに設定するのが好ましい。すなわち取付ピッチが小さ過ぎる場合には、固着具（１１）の取付本数が多くなり、施工作業性の低下を来す恐れがあり、逆に取付ピッチが大き過ぎる場合には、遮断シート（１０）を躯体（１）に対し十分な強度で取り付けることができない恐れがなる。
【００２９】
また遮断シート固定用の固着具（１１）としては、１本あたりの固定強度が１００〜３００kgのものを使用するのが好ましい。すなわち、固定強度が小さ過ぎるものを用いる場合には、遮断シート（１０）の躯体（１）に対する強度を十分に確保できなかったり、あるいは取付強度を確保するために、固着具（１）の取付本数が多くなり過ぎて、施工作業性の低下を来す恐れがある。逆に固定強度が過度に大きい固着具を用いたとしても、遮断シート固定用としては無意味であるばかりか、却って固着具等の材料コストが増大する恐れがあり、好ましくない。
【００３０】
もっとも、本発明においては、固着具（１１）の取付ピッチや、種類は、上記のものに限定されるものではなく、躯体（１）の材質や、形状、状態等に合わせて、適宜変更するのが良い。更に空気遮断シート（１０）の取付手段は、必ずしも上記のような固着具（１１）を用いるものだけに限られず、例えば躯体（１）の所要部分に塩ビ鋼板製等の接合板を固着具により固定して、その接合板表面に、空気遮断シート（１０）を接着ないしは接合一体化するような手段を用いても良い。
【００３１】
本実施形態においては、空気遮断シート（１０）の固着具貫通部に孔が形成されるが、上記したように遮断シート（１０）として、軟質合成樹脂や合成ゴムからなるものを使用する場合には、シート自体の収縮密着性により、遮断シート（１０）における固着具貫通孔の内周面が固着具（１１）の外周面に気密状態に密着するので、空気遮断シート（１０）の気密性が損なわれるような不具合はない。
【００３２】
なお、本発明において、空気遮断シート（１０）の表面に、固着具周辺を覆うように気密性を有するカバーシートを気密状態に接着ないしは接合一体化する構成を採用すれば、空気遮断遮断シート（１０）における固着具貫通部の空気漏れを、より確実に防止することができる。この場合、カバーシートとしては、密着性の観点から、空気遮断シート（１０）と同じ材質のものを使用するのが良い。
【００３３】
シート接合板（６）としては、硬質、または半硬質の合成樹脂板、金属板、あるいは防水シート（５）との接着性を向上させるために塩化ビニル樹脂等の合成樹脂が片面もしくは両面に被覆された塩ビ鋼板等の樹脂被覆金属板からなるもの等を使用するのが良い。
【００３４】
また防水シート（５）をシート接合板（６）に接合するための手段としては、エポキシ系、ウレタン系、ゴム系の接着剤を用いて接着する手段を好適に使用することができる。更に防水シート（５）とシート接合板（６）の接合面とが、共に同種の樹脂からなる場合には、溶剤溶着、熱風融着により十分な接着強度で接合一体化でき、特にシート（５）と接合板（６）の接合面とが、共に塩化ビニル樹脂からなる場合には、テトラヒドロフラン（ＴＨＦ）単独、あるいはＴＨＦに塩化ビニル樹脂を溶解した溶剤を使用することができ、より一層優れた接着効果を得ることができる。
【００３５】
＜第２の実施形態＞
図４はこの発明の第２の実施形態であるシート防水構造が適用された陸屋根の平場部分を示す断面図である。同図に示すように、本実施形態のシート防水構造においては、空気遮断層が、複数の断熱パネル（２５）からなる断熱層（２０）により構成される点が、上記第１の実施形態と相違する。
【００３６】
すなわち、本実施形態において、躯体（１）の平場（１ａ）上には、矩形状の多数の断熱パネル（２５）が、縦横に並列状に配置されるとともに、各断熱パネル（２５）の所要部分が、固着具（１１）により躯体（１）にそれぞれ固定される。更に隣合う断熱パネル間の隙間（目地部）には、気密性を有するシーリング材（２６）が充填される。
【００３７】
こうして面状に敷設施工された複数の断熱パネル（２５）により、空気の透過を遮断するための断熱層（２０）が形成されるとともに、その断熱層（２０）上に、上記と同様に防水シート（５）が敷設される。
【００３８】
ここで、断熱パネル（２５）としては、例えば発泡ポリウレタン、発泡ポリスチレン等の樹脂発泡体からなるものを好適に用いることができる。
【００３９】
またシーリング材（２６）としては、現場発泡タイプの合成樹脂材や、シリコーンゴム系のもの、更には目地テープ等からなるものを好適に用いることができる。
【００４０】
その他の構成は、上記第１の実施形態と同様である。
【００４１】
この実施形態のシート防水構造においては、上記と同様に同様の効果を得ることができる上更に、断熱パネル（２５）を空気遮断層として構成しているため、断熱パネル（２５）が用いられる外断熱工法において、上記第１実施形態のように空気遮断層用として、別途、空気遮断シート等を設ける必要がなく、その分、施工作業を簡単に行うことができる。
【００４２】
なお、本実施形態においては、断熱パネル（２５）を固着具（１１）により躯体（１）に固定するようにしているが、本発明はそれだけに限られず、断熱パネル（２５）を固定するにあたって、図５（ａ）に示すように、施工しようとする断熱パネル（２５）の目地部（外周縁部）に相当する位置に、あらかじめ気密性を有する接着剤（２６ａ）を塗布しておいて、同図（ｂ）に示すように、接着剤（２６ａ）が目地部に充填される態様に断熱パネル（２５）を躯体（１）上に敷設して接着固定するようにしても良い。この場合には、断熱パネル（２５）の接着（固定）作業と目地処理作業とを同時に行うことができるので、より一層効率良く施工することができる。
【００４３】
また、本実施形態においては、図６に示すように、空気遮断層としての断熱層（２０）と防水シート（５）との間における断熱層（２０）上に、ケイ酸カルシウム板（ケイカル板）や軽量発泡コンクリート板等の下地ボード（３０）を敷設するようにしても良い。
【００４４】
＜第３の実施形態＞
図７はこの発明の第３の実施形態であるシート防水構造が適用された陸屋根の平場部分を示す断面図、図８はその平場部分を防水シートを取り外した状態で示す平面図である。両図に示すように、この実施形態においては、空気遮断層が、躯体（１）上に設けられる第１断熱層（２１）と、その第１断熱層（２１）上に設けられる第２断熱層（２２）とで構成されている。
【００４５】
第１断熱層（２１）は複数の断熱パネル（２５）が躯体（１）上に縦横に並列状に配置されて、固着具や接着剤等の所定の固着手段により固定されて形成される。
【００４６】
また、第２断熱層（２２）は、複数の断熱パネル（２５）が上記第１断熱層（２１）上に縦横に並列状に配置されて、所定の固着手段により固定されて形成されている。
【００４７】
このとき、第２断熱層（２２）における隣合う断熱パネル（２５）の目地部（２２ａ）が、第１断熱層（２１）における隣合う断熱パネル（２５）の（２１ａ）に対し位置をずれせた状態に配置される。
【００４８】
更に第２断熱層（２２）において、第１断熱層（２１）の目地部（２１ａ）と第２断熱層（２２）の目地部（２２ａ）とが交差する部分に、気密性を有するシーリング材（２６）が配設される。
【００４９】
その他の構成は、上記第１及び第２の実施形態と同様である。
【００５０】
本実施形態のシート防水構造によれば、断熱層（２１）（２２）が積層される外断熱工法において、各断熱層（２１）（２２）間の断熱パネル（２５）をずらして配置して、目地部（２１ａ）（２２ａ）を、対応する断熱パネル（２５）により気密状態に閉塞するとともに、目地部（２１ａ）（２２ａ）の交差部分を目地処理することにより、防水シート裏面側における密閉部の気密性を万全なものとしている。このように目地部（２１ａ）（２２ａ）の交差部分を目地処理するだけで、空気遮断層を確実に得ることができる。
【００５１】
なお、上記実施形態においては、本発明のシート防水構造を新築の陸屋根に適用した場合について説明したが、本発明は、それだけに限られず、シート防水施工された既設の構造物を改修する場合にも適用することができる。
【００５２】
また、上記実施形態においては、本発明の構造をビル屋上の陸屋根に適用した場合について説明したが、本発明は、それだけに限られず、ベランダや、バルコニー等にも上記と同様に適用することができる。
【００５３】
また、本発明において、断熱層により空気遮断層を形成する場合には、断熱層を３層以上形成しても良く、更に２層以上設けた断熱層上に下地ボード等を配置するようにしても良い。
【００５４】
【発明の効果】
以上のように、この発明の密閉式シート防水構造によれば、躯体上における防水シートとの間に空気遮断層を設けるものであるため、亀裂等により躯体自身に通気部が形成されたとしても、空気遮断層により、空気の透過を遮断できるため、空気が躯体内部から防水シート裏面側の密閉部に侵入するのを防止でき、防水シート裏面側の密閉部の気密性を十分に確保することができる。このため防水シート表面に風が吹き込んで防水シートに揚力が発生したとしても、防水シートは躯体に吸着保持されて、防水シートが膨れ上がるのを防止でき、防水シートに皺や有害な変形が生じるのを防止できて、良好な美観を維持できるとともに、変形等によるシート劣化も防止できて、十分な耐久性を得ることができる。また本発明は、躯体と防水シートとの間に空気遮断層を設けるという簡素な構造であるため、簡単に施工することができるという効果がある。
【００５５】
本発明において、空気遮断層を空気遮断シートにより形成する場合、空気遮断シートを敷設するという簡単な作業で空気遮断層を形成することができるという利点がある。
【００５６】
また本発明において、空気遮断層を、面状に並列配置された複数の断熱パネルの目地部を気密処理したものにより構成する場合には、外断熱工法に用いられる断熱パネルを利用して空気遮断層を形成できるので、空気遮断層を新たに一から設ける必要がなく、その分、施工作業をより一層簡単に行うことができるという利点がある。
【図面の簡単な説明】
【図１】この発明の第１の実施形態である密閉式シート防水構造が適用されたビル屋上の陸屋根を示す概略断面図である。
【図２】第１実施形態の陸屋根における中間部分を示す断面図である。
【図３】第１実施形態の陸屋根における端部を示す断面図である。
【図４】この発明の第２の実施形態である密閉式シート防水構造が適用されたビル屋上の陸屋根中間部を示す断面図である。
【図５】上記第２実施形態を基本構造とする第１変形例を示す断面図である。
【図６】上記第２実施形態を基本構造とする第２変形例を示す断面図である。
【図７】この発明の第３の実施形態である密閉式シート防水構造が適用されたビル屋上の陸屋根中間部を示す断面図である。
【図８】第３実施形態の陸屋根中間部を防水シートを取り外した状態で示す平面図である。
【図９】従来の密閉式シート防水構造が適用されたビル屋上の陸屋根を示す平面図である。
【図１０】上記従来の陸屋根を示す断面図である。
【符号の説明】
１…躯体
５…防水シート
１０…空気遮断シート
２０、２１、２２…断熱層
２１ａ、２２ａ…目地部
２５…断熱パネル
２６…シーリング材
【図１】
0004427147.tif 000002
【図２】
0004427147.tif 000003
【図３】
0004427147.tif 000004
【図４】
0004427147.tif 000005
【図５】
0004427147.tif 000006
【図６】
0004427147.tif 000007
【図７】
0004427147.tif 000008
【図８】
0004427147.tif 000009
【図９】
0004427147.tif 000010
【図１０】
0004427147.tif 000011